(57)【要約】【課題】仮に車両がロールオーバーした際にも充分なルーフ強度を確保することができ、しかも車体重量の軽量化を図る。【解決手段】Ｃ−ＦＲＰ製のボディーにおいて、車体側部１０に配設されるボディー付け三角窓２４とフロントサイドドアとを仕切るディビジョンバー１８を、ルーフサイドレール部１２からフロントピラー部１４まで延長して筋交い状に架け渡し、更にガセット３２を設けることでディビジョンバー１８とルーフサイドレール部１２及びフロントピラー部１４とを閉断面構造にて接続した。これにより、ディビジョンバー１８を車体側部１０のボディー骨格部材として機能させることができる。【選択図】図１
2008062707.tif 000002
【特許請求の範囲】
【請求項１】
車体側部におけるサイドドアとの隣接位置にボディー付けの固定窓を有する車体側部構造であって、
前記ボディー付けの固定窓とサイドドアとを仕切り、上端部がルーフサイドレール部に接続されると共に下端部がピラー下部又はその近傍に接続され、車両側面視でルーフサイドレール部とピラー部又はその近傍部位との間に筋交い状に架け渡されて車体側部のボディー骨格部材として機能するディビジョンバーを有することを特徴とする車体側部構造。
【請求項２】
前記ボディー付けの固定窓の下方側に位置するディビジョンバーとピラー部との間を閉断面構造にて接続した、
ことを特徴とする請求項１記載の車体側部構造。
【請求項３】
前記ディビジョンバーの下端部は、サイドドアの車両上下方向の高さの半分よりも低い位置にてピラー部と接続されている、
ことを特徴とする請求項１又は請求項２記載の車体側部構造。
【請求項４】
前記閉断面構造は、ディビジョンバーの車両幅方向外側に配置されて車両前後方向に板面が延在されるガセットアウタと、ディビジョンバーの車両幅方向内側に配置されて車両前後方向に沿って板面が延在されるガセットインナ、とを含んで構成されている、
ことを特徴とする請求項２又は請求項３に記載の車体側部構造。
【請求項５】
前記ピラー部はフロントピラー部であり、当該フロントピラー部の所定位置にフロントサイドドアの前端部がドアヒンジを介して回転可能に連結されており、
前記ディビジョンバーを含む閉断面構造部と対向するドアインナパネルの前側上部を車両幅方向外側へ向けて凹ませることで、ドアアウタパネルとの間隔を狭めた段付き形状部をドアインナパネルに設け、
当該段付き形状部にディビジョンバーの後端部に沿って配設されたシール材を弾性的に圧接させた、
ことを特徴とする請求項２乃至請求項４のいずれか一項に記載の車体側部構造。
【発明の詳細な説明】
【技術分野】
【０００１】
本発明は、ボディー付けの固定窓とサイドドアとの間を仕切るディビジョンバーを備えた車体側部構造に関する。
【背景技術】
【０００２】
下記特許文献１には、フロントピラーの高さ方向中間部に幅広部を設け、かかる幅広部に固定状態で配置される側面視で三角形状の窓（以下、この部分を「ボディー付けの固定窓」と称す。）を配置したフロントピラー構造が開示されている。さらに、このフロントピラー構造では、幅広部の後端部に垂直枠部（以下、この部分を「ディビジョンバー」と称す。）が設けられ、ボディー付けの固定窓の後端部を支持するようになっている。
【特許文献１】特開平１１−２３５９８３号公報
【発明の開示】
【発明が解決しようとする課題】
【０００３】
しかしながら、上記先行技術による場合、ディビジョンバーの下端部がベルトライン付近のフロントピラーに接合される構成であり、ディビジョンバー自体に車体骨格部材としての機能は無いため、仮に車両がロールオーバーした場合のルーフ強度を確保するためには、ルーフサイドレールの断面係数を大きくする必要がある。さらに、ルーフサイドレールの断面係数を大きくすると、それに伴ってルーフサイドレールを支えるフロントピラーの断面係数も大きくする（フロントピラーを太くする）必要がある。その結果、車体重量が増加する（と共にドライバの視界を狭める）という課題が生じる。
【０００４】
本発明は上記事実を考慮し、仮に車両がロールオーバーした際にも充分なルーフ強度を確保することができ、しかも車体重量の軽量化を図ることができる車体側部構造を得ることが目的である。
【課題を解決するための手段】
【０００５】
請求項１の発明は、車体側部におけるサイドドアとの隣接位置にボディー付けの固定窓を有する車体側部構造であって、前記ボディー付けの固定窓とサイドドアとを仕切り、上端部がルーフサイドレール部に接続されると共に下端部がピラー下部又はその近傍に接続され、車両側面視でルーフサイドレール部とピラー部又はその近傍部位との間に筋交い状に架け渡されて車体側部のボディー骨格部材として機能するディビジョンバーを有することを特徴とする。
【０００６】
請求項２の発明は、請求項１記載の車体側部構造において、前記ボディー付けの固定窓の下方側に位置するディビジョンバーとピラー部との間を閉断面構造にて接続した、ことを特徴とする。
【０００７】
請求項３の発明は、請求項１又は請求項２記載の車体側部構造において、前記ディビジョンバーの下端部は、サイドドアの車両上下方向の高さの半分よりも低い位置にてピラー部と接続されている、ことを特徴とする。
【０００８】
請求項４の発明は、請求項２又は請求項３に記載の車体側部構造において、前記閉断面構造は、ディビジョンバーの車両幅方向外側に配置されて車両前後方向に板面が延在されるガセットアウタと、ディビジョンバーの車両幅方向内側に配置されて車両前後方向に沿って板面が延在されるガセットインナ、とを含んで構成されている、ことを特徴とする。
【０００９】
請求項５の発明は、請求項２乃至請求項４のいずれか一項に記載の車体側部構造において、前記ピラー部はフロントピラー部であり、当該フロントピラー部の所定位置にフロントサイドドアの前端部がドアヒンジを介して回転可能に連結されており、前記ディビジョンバーを含む閉断面構造部と対向するドアインナパネルの前側上部を車両幅方向外側へ向けて凹ませることで、ドアアウタパネルとの間隔を狭めた段付き形状部をドアインナパネルに設け、当該段付き形状部にディビジョンバーの後端部に沿って配設されたシール材を弾性的に圧接させた、ことを特徴とする。
【００１０】
請求項１記載の本発明の作用は、以下の通りである。
【００１１】
車体側部におけるサイドドアとの隣接位置にはボディー付けの固定窓が配置されており、かかるボディー付けの固定窓とサイドドアとはディビジョンバーによって仕切られている。
【００１２】
ここで、本発明では、ディビジョンバーの上端部をルーフサイドレール部に接続すると共に下端部をピラー下部又はその近傍に接続し、ディビジョンバーを車両側面視でルーフサイドレール部とピラー部又はその近傍部位との間に筋交い状に架け渡して、車体側部のボディー骨格部材として機能させたので、仮に車両がロールオーバーしてルーフに車両下方側への荷重（ルーフを潰す方向への荷重）が入力された場合には、このロールオーバー荷重をルーフサイドレール部の曲げ強度とディビジョンバーの圧縮強度の両方で受け持つことができる。従って、仮に車両がロールオーバーした際のルーフの変形を抑制することができる。
【００１３】
また、ディビジョンバーを車体骨格部材として機能させることにより、同じ荷重に対する必要強度を効率良く得ることができる。その結果、従来のようにルーフサイドレール部及びピラー部の断面係数を上げるべく、これらの部材を太くする必要がなくなり、その分、車体重量も軽量化される。
【００１４】
請求項２記載の本発明によれば、ボディー付けの固定窓の下方側に位置するディビジョンバーとピラー部との間を閉断面構造にて接続したので、充分な圧縮強度を確保することができる。
【００１５】
請求項３記載の本発明によれば、ディビジョンバーの下端部をサイドドアの車両上下方向の高さの半分よりも低い位置にてピラー部と接続したので、筋交いとしての効果が高くなる。
【００１６】
請求項４記載の本発明によれば、ディビジョンバーとピラー部間の閉断面構造がガセットアウタとガセットインナとを含んで構成されているので、比較的少ない部品点数でディビジョンバーとピラー部との間を閉断面構造化することができる。また、ガセットアウタ及びガセットインナはいずれも面材であるので、車体重量の増加を招く程ではない。
【００１７】
請求項５記載の本発明によれば、フロントピラー部の所定位置にフロントサイドドアの前端部がドアヒンジ回りに回転可能に連結されており、これとの関係でシール部材との関係を規定したものである。
【００１８】
すなわち、フロントサイドドアのドアインナパネルの前側上部はディビジョンバーを含む閉断面構造部と対向する位置関係にあり、この部分を車両幅方向外側へ凹ませることでドアアウタパネルとの間隔を狭めた段付き形状部をドアインナパネルに設けている。こうすることで、ディビジョンバーを含む閉断面構造部に対するドアインナパネル側の逃げを確保し、更にディビジョンバーの後端部にシール材を配設して当該シール材を段付き形状部に圧接させることを可能とした。
【００１９】
つまり、本発明では、シール材のシール位置を従来のシール位置よりも車両後方側へずらすことにより、ディビジョンバーとフロントピラー部との間を閉断面構造にて接続することを可能とするものである。
【発明の効果】
【００２０】
以上説明したように、請求項１記載の本発明に係る車体側部構造は、仮に車両がロールオーバーした際にも充分なルーフ強度を確保することができ、しかも車体重量の軽量化を図ることができるという優れた効果を有する。
【００２１】
請求項２記載の本発明に係る車体側部構造は、車両がロールオーバーした場合のルーフの支持性能を向上させることができるという優れた効果を有する。
【００２２】
請求項３記載の本発明に係る車体側部構造は、車両がロールオーバーした場合にルーフを支持して潰れを抑制する効果をより一層確実化することができるという優れた効果を有する。
【００２３】
請求項４記載の本発明に係る車体側部構造は、低コストな構成で本発明の目的を達成することができるという優れた効果を有する。
【００２４】
請求項５記載の本発明に係る車体側部構造は、シール材のシール位置を車両後方側へずらすことにより、ディビジョンバーとフロントピラー部との間を閉断面構造化することができ、その結果、車体側部とフロントサイドドアとの間のシールを良好に成立させつつ、仮に車両がロールオーバーした際のルーフ支持性能の向上と車体重量の軽量化を達成することができるという優れた効果を有する。
【発明を実施するための最良の形態】
【００２５】
〔第１実施形態〕
以下、図１〜図６を用いて、本発明に係る車体側部構造の第１実施形態について説明する。なお、これらの図において適宜示される矢印ＦＲは車両前方側を示しており、矢印ＵＰは車両上方側を示しており、矢印ＩＮは車両幅方向内側を示している。
【００２６】
図１には、本発明が適用された車体側部の要部の斜視図が示されている。また、図２〜図４には、本実施形態の要部であるディビジョンバー及びガセットの上端部、中間部、下端部の各断面図が示されている。さらに、図５にはフロントサイドドアを内側から見た斜視図が示されており、図６には当該フロントサイドドアをドアヒンジ部で水平に切断した横断面図が示されている。
【００２７】
（要部周辺のボディー構造）
図１〜図４に示されるように、車体側部１０は、ルーフの両サイドに略車両前後方向に沿って延在するルーフサイドレール部１２と、このルーフサイドレール部１２の前部１２Ａの下端部と結合されると共に略車両上下方向に沿って立設されたフロントピラー部１４と、このフロントピラー部１４の下端部に接続されて車両前後方向に沿って延在するロッカ部１６と、本実施形態の要部であるディビジョンバー１８と、を含んで構成されている。また、車体側部１０は、Ｃ−ＦＲＰによって構成されている。
【００２８】
なお、上記車体側部１０においてルーフサイドレール部１２とディビジョンバー１８とロッカ部１６と図示しないセンタピラー部とで囲まれた開口部分が、後述するフロントサイドドア４４（図６参照）によって開閉可能とされたドア開口部２０である。乗員は、フロントサイドドア４４を開放させることにより、ドア開口部２０からキャビン２２へ乗車することができ、又キャビン２２からドア開口部２０を通って降車することができる。
【００２９】
（ボディー付け三角窓２４の構成）
上述した車体側部１０におけるフロントサイドドア４４との前側隣接位置、即ちルーフサイドレール部１２において湾曲形状とされた前部１２Ａの車両後方側には、側面視で三角形状とされたボディー付けの固定窓としてのボディー付け三角窓（フィックスウインドウ）２４が固定的に配置されている。
【００３０】
（ディビジョンバー１８の構成）
このボディー付け三角窓２４の後端縁に沿うように本実施形態の要部であるディビジョンバー１８が斜めに配設されている。図２〜図４に示されるように、ディビジョンバー１８は中空角柱形状に形成された本体部２６と、この本体部２６の内部に充填された樹脂充填部２８と、によって構成されている。従って、ディビジョンバー１８はそれ自体閉断面構造とされている。
【００３１】
ディビジョンバー１８の上端部１８Ａは、ルーフサイドレール部１２の前部１２Ａから中間部１２Ｂに移行する部分に接続されている。また、ディビジョンバー１８の下端部１８Ｂは、後述するフロントサイドドア４４の車両上下方向の高さの半分よりも低い位置（ドアベルトライン位置３０（図５参照））、即ちフロントピラー部１４の下部１４Ａの後端面に接続されている。従って、ディビジョンバー１８を車両側面視で見ると、ディビジョンバー１８がルーフサイドレール部１２とフロントピラー部１４の下部１４Ａとの間に筋交い状に架け渡されるように配置されている。別の見方をすると、従来から知られているディビジョンバーはボディー付け三角窓２４の下縁までで止められているのに対し、本実施形態のディビジョンバー１８はドアベルトライン位置３０（図５参照）を越えて車体上部から車体下部側へ向けて斜めに架け渡されている。
【００３２】
（ガセット３２の構成）
上述したディビジョンバー１８とフロントピラー部１４及びルーフサイドレール部１２の前部１２Ａとの間は、ガセットアウタ３４及びガセットインナ３６から成るガセット３２によって閉断面構造化されている（以下、閉断面構造化された部分を「閉断面構造部３８」（図３、図４、図６参照）と称す）。このガセット３２も本実施形態の要部である。
【００３３】
図１〜図４に示されるように、ディビジョンバー１８の車両幅方向外側に配置されるガセットアウタ３４は、車両前後方向及び車両上下方向に沿って延在する略半円形状の一般部３４Ａと、一般部３４Ａの後端から車両幅方向内側へ斜めに屈曲された傾斜部３４Ｂと、傾斜部３４Ｂの後端から車両後方側へ屈曲された後端フランジ部３４Ｃと、一般部３４Ａの下部側の前端から車両幅方向外側へ屈曲された後に車両前方側へ更に屈曲されてＬ字状に形成されたピラー側端末部３４Ｄと、一般部３４Ａの上部側の上端乃至前端から車両幅方向内側へ屈曲された後に車両上方側乃至車両前方側へ屈曲されてＬ字状に形成されたレール側端末部３４Ｅと、を備えている。なお、ガセットアウタ３４の一般部３４Ａの上部には、ボディー付け三角窓２４の形状に対応した開口部４０（図１参照）が形成されている。
【００３４】
図４に示されるように、ピラー側端末部３４Ｄは、フロントピラー部１４の後端外側角部１４Ｂに接着剤４２及び図示しないリベットで固定されている。また、図２に示されるように、レール側端末部３４Ｅは、ルーフサイドレール部１２の下面及び内側側面に接着剤４２及び図示しないリベットで固定されている。
【００３５】
一方、ディビジョンバー１８の車両幅方向内側に配置されるガセットインナ３６は、車両前後方向に沿って延在する一般部３６Ａと、一般部３６Ａの後端部から車両幅方向外側へ斜めに屈曲された傾斜部３６Ｂと、傾斜部３６Ｂの後端から車両後方側へ屈曲された後端フランジ部３６Ｃと、によって構成されている。ガセットインナ３６はガセットアウタ３４と異なり、ディビジョンバー１８の下端部付近からボディー付け三角窓２４の下縁付近までの範囲に配置されている。
【００３６】
図４に示されるように、ガセットインナ３６の一般部３６Ａの前端部は、フロントピラー部１４の内側側面に図示しない接着剤及びリベットで固定されている。なお、ガセットインナ３６は、車両幅方向を長手方向として配置され左右のフロントピラー部１４同士を車両幅方向に繋ぐ高強度及び高剛性の図示しないインパネリインフォースメントの取付面をも構成している。
【００３７】
さらに、図２及び図３に示されるように、ガセットアウタ３４の後端フランジ部３４Ｃとガセットインナ３６の後端フランジ部３６Ｃとは重合されて接着剤４２及び図示しないリベットで接合されている。
【００３８】
上述したガセット３２がボディー側に固定された状態では、当該ガセット３２とフロントピラー部１４及びルーフサイドレール部１２の前部１２Ａとで閉断面構造部３８が形成されている。この閉断面構造部３８の車両後方側の端部に上記ディビジョンバー１８が配置されて、この状態で接着剤４２及び図示しないリベットでディビジョンバー１８がガセット３２に固定されている。具体的には、図３に示される断面位置ではディビジョンバー１８の下部はガセットインナ３６に接着剤４２等で固定されているが、図４に示される断面位置では、ディビジョンバー１８の下端部１８Ｂはフロントピラー部１４の後端面に接着剤４２等で固定されている。
【００３９】
（フロントサイドドア４４の構成及びフロントサイドドア４４とのシール構造）
図５及び図６に示されるように、フロントサイドドア４４は、ドア外板を構成するドアアウタパネル４６とドア内板を構成するドアインナパネル４８とを含んで構成されている。ドアインナパネル４８の前端部は階段形状に形成されており、面の方向が車両幅方向とされたヒンジ取付部５０に平面視でＬ字状に形成されたドアヒンジ５２がボルト５４及びナット５６で固定されている。これに対応して、フロントピラー部１４の外側面には、平面視でＬ字状に形成されたドアヒンジベース５８がボルト６０及び図示しないナットで固定されている。そして、ドアヒンジ５２がドアヒンジベース５８にヒンジピン６２回りに回転自在に連結されている。
【００４０】
上記フロントサイドドア４４のドアインナパネル４８の前側上部には、側面視で略逆三角形状の段付き形状部６４が形成されている。段付き形状部６４は、上述したディビジョンバー１８及びガセット３２を含んで構成された閉断面構造部３８の側面視での形状及び車両幅方向外側への張出し量に対応してドアアウタパネル４６側へ凹まされて形成されたものである。
【００４１】
ドアインナパネル４８の一般部４８Ａの外周側には一般部４８Ａよりも車両幅方向外側へ一段凹んだ棚部４８Ｂが形成されており、この棚部４８Ｂに環状に形成されたゴム製のシール材としてのドアウェザストリップ６６（図６参照）が弾性的に圧接されるようになっている。図６に示されるように、ドアウェザストリップ６６の基端部６６Ａはガセットアウタ３４の後端フランジ部３４Ｃに固定されており、シール部６６Ｂは段付き形状部６４の一部でもある棚部４８Ｂに弾性変形した状態で圧接されている。
【００４２】
すなわち、本実施形態では、ボディー付け三角窓２４の後端縁に沿って配置されるディビジョンバー１８をドアベルトライン位置３０を越えて車両下方側へ延長してルーフサイドレール部１２とフロントピラー部１４との間に筋交い状に架け渡し、更にガセット３２で閉断面構造化することで、ディビジョンバー１８に車両骨格部材としての機能を付与したので、閉断面構造部３８の形成分（厚さ分）だけドアインナパネル４８と干渉する。このため、ドアインナパネル４８の前側上部を車両幅方向外側へ階段状に凹ませて段付き形状部６４を形成することで閉断面構造部３８に対する逃げを確保すると共に、ドアウェザストリップ６６のシール面を確保する観点からガセットアウタ３４の後端フランジ部３４Ｃの軌道をドアインナパネル４８の棚部４８Ｂ（シール面）の軌道に一致させることで車体側部１０に対するフロントサイドドア４４のシール性能を確保した構造となっている。
【００４３】
（本実施形態の作用並びに効果）
次に、本実施形態の作用並びに効果について説明する。
【００４４】
本実施形態に係る車体側部構造では、ボディー付け三角窓２４とフロントサイドドア４４とを仕切るディビジョンバー１８を角柱状の閉断面構造として圧縮強度を上げ、その上でディビジョンバー１８の上端部１８Ａをルーフサイドレール部１２に接続すると共に下端部１８Ｂをフロントピラー部１４の下部１４Ａに接続し、ディビジョンバー１８を車両側面視でルーフサイドレール部１２とフロントピラー部１４の下部１４Ａとの間に筋交い状に架け渡したので、ディビジョンバー１８を車体側部１０のボディー骨格部材として機能させることができる。
【００４５】
従って、仮に車両がロールオーバーしてルーフに車両下方側への荷重（図２の矢印Ｆ方向の荷重）が入力された場合には、このロールオーバー荷重をルーフサイドレール部１２の曲げ強度とディビジョンバー１８の圧縮強度の両方で受け持つことができる。その結果、仮に車両がロールオーバーした際のルーフの変形を抑制することができる。
【００４６】
また、ディビジョンバー１８を車体骨格部材として機能させることにより、同じ荷重に対する必要強度を効率良く得ることができる。その結果、従来のようにルーフサイドレール部及びフロントピラー部の断面係数を上げるべくこれらの部材を太くする必要がなくなり、その分、車体重量も軽量化される。
【００４７】
以上より、本実施形態に係る車体側部構造によれば、仮に車両がロールオーバーした際にも充分なルーフ強度を確保することができ、しかも車体重量の軽量化を図ることができる。
【００４８】
また、本実施形態では、ディビジョンバー１８の周囲にガセット３２を配置し、このガセット３２を介してディビジョンバー１８とフロントピラー部１４との間を閉断面構造にて接続したので、充分な圧縮強度を確保することができる。その結果、本実施形態によれば、車両がロールオーバーした場合のルーフの支持性能を向上させることができる。
【００４９】
さらに、本実施形態では、ディビジョンバー１８の下端部１８Ｂをフロントサイドドア４４の車両上下方向の高さの半分よりも低い位置にてフロントピラー部１４と接続したので、筋交いとしての効果が高くなる。その結果、本実施形態によれば、車両がロールオーバーした場合にルーフを支持して潰れを抑制する効果をより一層確実化することができる。
【００５０】
また、本実施形態では、ディビジョンバー１８とフロントピラー部１４との間をガセットアウタ３４及びガセットインナ３６から成るガセット３２によって繋ぐことによりこの部分を閉断面構造化したので、比較的少ない部品点数でディビジョンバー１８とフロントピラー部１４との間を閉断面構造化することができる。さらに、ガセットアウタ３４及びガセットインナ３６はいずれも面材であるので、車体重量の増加を招く程ではない。これらの結果、本実施形態によれば、低コストな構成で、ルーフ強度の確保と車体重量の軽量化を図ることができる。
【００５１】
さらに、本実施形態では、フロントサイドドア４４のドアインナパネル４８の前側上部に車両幅方向外側へ凹む段付き形状部６４を形成することで、ディビジョンバー１８を含む閉断面構造部３８との納まりを考慮した逃げを確保し、更に閉断面構造部３８の後端部（ガセットアウタ３４の後端フランジ部３４Ｃ）にドアウェザストリップ６６の基端部６６Ａを固定し、シール部６６Ｂをドアインナパネル４８に形成されてシール面を構成する棚部４８Ｂ及び段付き形状部６４に圧接させるようにしたので、ドアウェザストリップ６６によるシール性能も良好に確保される。つまり、ドアウェザストリップ６６のシール位置を従来のシール位置（図６に二点鎖線で示したウェザストリップ６８参照）よりも車両後方側へずらすことにより、ディビジョンバー１８とフロントピラー部１４との間を閉断面構造にて接続することを可能とするものである。その結果、本実施形態によれば、車体側部１０とフロントサイドドア４４との間のシールを良好に成立させつつ、仮に車両がロールオーバーした際のルーフ支持性能の向上と車体重量の軽量化を達成することができる。
【００５２】
〔第２実施形態〕
次に、図７及び図８を用いて、本発明に係る車体側部構造の第２実施形態について説明する。なお、前述した第１実施形態と同一構成部分については、同一番号を付してその説明を省略する。
【００５３】
図７に示されるように、この第２実施形態では、より強固なディビジョンバー７０を設定することで、第１実施形態で用いたガセット３２を廃止した点に特徴がある。
【００５４】
具体的に説明すると、この第２実施形態では、ディビジョンバー７０の上端部７０Ａがルーフサイドレール部１２に直接的に接続（接合）されていると共に下端部７０Ｂがフロントピラー部１４とロッカ部１６とが交差する部分に接続（接合）されている。さらに、ディビジョンバー７０は、側面視で上端部７０Ａから下端部７０Ｂに向かうにつれて末広がりになる形状とされており、ロールオーバーした際にルーフサイドレール部１２からフロントピラー部１４及びロッカ部１６へより多くの荷重を分散して伝達するようになっている。
【００５５】
さらに、上記ディビジョンバー７０の高さ方向の中間部７０Ｃには、車両前方側へ二股に分岐する分岐部７０Ｄが一体に形成されている。この分岐部７０Ｄはボディー付け三角窓２４の下縁を支持するためのもので、前端部はルーフサイドレール部１２の前部１２Ａ（フロントピラー部１４に接続される部分）に接続（接合）されている。この分岐部７０Ｄが形成されたことにより、ディビジョンバー７０は、側面視で略Ｙ字状に形成されている。
【００５６】
また、上述したディビジョンバー７０の上端部７０Ａから下端部７０Ｂにかけての部分の後端部には、車両後方側へ延出する所定幅の後端フランジ部７０Ｅが形成されている。この後端フランジ部７０Ｅにドアウェザストリップ６６の基端部６６Ａが装着される構成である。
【００５７】
なお、上述したディビジョンバー７０は上端部７０Ａから下端部７０Ｂに向かうにつれて車両前後方向寸法が徐々に大きくなり、ラウンドした形状とされ、分岐部７０Ｄも含めて一つの意匠を成すデザインとなっている。
【００５８】
補足すると、本実施形態の場合、ディビジョンバー７０の下部と分岐部７０Ｄとの間に略三角形状の開口部７１が形成されているため、前述した第１実施形態と異なり、ディビジョンバー７０からフロントピラー部１４までを閉断面構造化することにはならないが、その分の必要強度及び剛性はディビジョンバー７０の断面の大きさ等で吸収することになる。また、この実施形態では、ディビジョンバー７０の下部側をかなり太くしてフロントピラー部１４とロッカ部１６との両方に跨るように接合し、荷重の分散を図っているが、乗降車性との兼ね合いから、ディビジョンバー７０の下端部７０Ｂを第１実施形態と同様にフロントピラー部１４の下部１４Ａ側に接続（接合）する構成を採ってもよく、側面形状自体は要求性能との関係で任意に変更すればよい。
【００５９】
また、ガセット３２を廃止した関係で、この実施形態では、フロントピラー部１４の内側面（開口部７１の奥側）にインパネリインフォース取付用プレート７２を別途設定している。
【００６０】
（作用・効果）
上記構成によっても、前述した第１実施形態と同様に、車両がロールオーバーした際には、ディビジョンバー７０が筋交いとなって圧縮荷重に耐える作用をもたらす。従って、ルーフの強度確保ひいてはロールオーバーした際のルーフの変形を抑制することができる。また、重量的にも前述した第１実施形態のガセット３２相当分の重量増加程度にディビジョンバー７０の骨太化を調整すれば、軽量化に資する構造を成立させることができる。
【００６１】
また、ガセット３２が無い分、組付工数が削減されるので、車両の組立作業効率を上げることができる。
【００６２】
〔本実施形態の補足説明〕
なお、上述した各実施形態では、車体側部１０のフロントピラー部１４側にボディー付け三角窓２４及びディビジョンバー１８、７０が設定される構成を採ったが、本発明の適用対象にはリヤピラー側も含まれる。リヤピラー側でもボディー付けの固定窓（形状は三角窓に限らない）及びディビジョンバーが設定されることがあり、その場合には同様の手法が成り立つ。
【図面の簡単な説明】
【００６３】
【図１】第１実施形態に係る車体側部構造の要部を示す概略斜視図である。
【図２】図１の２−２線拡大断面図である。
【図３】図１の３−３線拡大断面図である。
【図４】図１の４−４線拡大断面図である。
【図５】フロントサイドドアをドアインナパネル側から見た斜視図である。
【図６】図５の６−６線拡大断面図である。
【図７】第２実施形態に係る車体側部構造の要部を示す図１に対応する概略斜視図である。
【図８】第２実施形態の場合の図６に対応する拡大断面図である。
【符号の説明】
【００６４】
１０      車体側部
１２      ルーフサイドレール部
１４      フロントピラー部（ピラー部）
１８      ディビジョンバー
１８Ａ    上端部
１８Ｂ    下端部
２４      ボディー付け三角窓（ボディー付けの固定窓）
３２      ガセット
３４      ガセットアウタ
３６      ガセットインナ
３８      閉断面構造部
４４      フロントサイドドア
４６      ドアアウタパネル
４８      ドアインナパネル
５２      ドアヒンジ
６４      段付き形状部
６６      ドアウェザストリップ（シール材）
７０      ディビジョンバー
７０Ａ    上端部
７０Ｂ    下端部
【図１】
2008062707.tif 000003
【図２】
2008062707.tif 000004
【図３】
2008062707.tif 000005
【図４】
2008062707.tif 000006
【図５】
2008062707.tif 000007
【図６】
2008062707.tif 000008
【図７】
2008062707.tif 000009
【図８】
2008062707.tif 000010